(57)【特許請求の範囲】
【請求項１】
パッキン押さえの下端部外周に水平環状溝が形成されているとともに、偏心位置に貫通孔を有する円形の物品載置用台板の孔縁部が水平環状溝に回動可能に嵌め合わせられていることを特徴とする、物品載置用台板付き給水栓。
【請求項２】
パッキン押さえの上端に上方突出筒部が一体に設けられ、上方突出筒部の上端部外周に水平環状溝が形成されているとともに、偏心位置に貫通孔を有する円形の物品載置用台板の孔縁部が水平環状溝に回動可能に嵌め合わせられていることを特徴とする、物品載置用台板付き給水栓。
【請求項３】
パッキン押さえの下端部外周に水平環状溝が形成されているとともに、貫通孔を有するフック取付用板の孔縁部が水平環状溝に回動可能に嵌め合わせられており、前記板の外縁部に少なくとも１つの物品吊り下げ用フックが取り付けられていることを特徴とする、物品吊り下げ用フック付き給水栓。
【請求項４】
パッキン押さえの上端に上方突出筒部が一体に設けられ、上方突出筒部の上端部外周に水平環状溝が形成されているとともに、貫通孔を有するフック取付用板の孔縁部が水平環状溝に回動可能に嵌め合わせられており、前記板の外縁部に少なくとも１つの物品吊り下げ用フックが取り付けられていることを特徴とする、物品吊り下げ用フック付き給水栓。
【請求項５】
請求項３または４記載の物品吊り下げ用フック付き給水栓において、フック取付用板が物品載置用台板を兼ねていることを特徴とする、物品載置用台板および物品吊り下げ用フック付き給水栓。
【請求項６】
物品載置用台板を兼ねているフック取付用板が円形であって、その貫通孔が偏心位置にあけられていることを特徴とする、請求項５記載の物品載置用台板および物品吊り下げ用フック付き給水栓。
【発明の詳細な説明】
【０００１】
【発明の属する技術分野】
本発明は、給水栓に関する。
【０００２】
【従来の技術および発明が解決しようとする課題】
例えば、一般家庭において、給水栓は、洗面所、浴室、流し等に設置されているが、給水栓のそばに石鹸、ブラシ、洗剤、歯ブラシ、歯磨きチューブ等の物品があると便利なので、それらの物品を置いたり吊したりしておくための棚、収納ケース、フック等が設けらていることが多い。しかしながら、設置スペース等の都合で、給水栓の近くに棚、収納ケース、フック等を設けることができない場合もある。
【０００３】
本発明は、上記の問題点に鑑みてなされたものであって、給水栓自体に石鹸、ブラシ等の物品を置いたり、吊したりするための構造を付加して、使用者の便宜を図ることを目的としている。
【０００４】
【課題を解決するための手段および発明の効果】
本発明のうち第１のものは、パッキン押さえの下端部外周に水平環状溝が形成されているとともに、貫通孔を有する物品載置用台板の孔縁部が水平環状溝に回動可能に嵌め合わせられていることを特徴とする、物品載置用台板付き給水栓である。
【０００５】
上記給水栓にあっては、パッキン押さえの下端部の周囲に設けられた物品載置用台板に、石鹸、ブラシ等の物品を載せておくことができるので、便利である。また、前記台板は回動可能であるので、給水栓を使用する際、すなわち、吐水して手や物を洗ったり等する際に、台板を回動させることによって、これに載せられた石鹸等を邪魔にならない位置まで簡単に移動させることができる。さらに、物品載置用台板はパッキン押さえに取り付けられているので、既存の給水栓のパッキン押さえを、上記物品載置用台板付きパッキン押さえに交換するだけで、簡単に上記物品載置用台板付き給水栓を構成することができ、一般消費者が手軽に利用できる。
【０００６】
本発明のうち第２のものは、パッキン押さえの上端に上方突出筒部が一体に設けられ、上方突出筒部の上端部外周に水平環状溝が形成されているとともに、貫通孔を有する物品載置用台板の孔縁部が水平環状溝に回動可能に嵌め合わせられていることを特徴とする、物品載置用台板付き給水栓である。
【０００７】
上記給水栓にあっては、パッキン押さえにおける上方突出筒部の上端部の周囲に設けられた物品載置用台板に、石鹸、ブラシ等の物品を載せておくことができるので、便利である。また、前記台板は回動可能であるので、給水栓を使用する際に、台板を回動させることによって、これに載せられた石鹸等を邪魔にならない位置まで簡単に移動させることができる。さらに、物品載置用台板はパッキン押さえに取り付けられているので、既存の給水栓のパッキン押さえを、上記物品載置用台板付きパッキン押さえに交換するだけで、簡単に上記物品載置用台板付き給水栓を構成することができ、一般消費者が手軽に利用できる。
【０００８】
本発明による物品載置用台板付き給水栓において、物品載置用台板が円形であって、その貫通孔が偏心位置にあけられている場合がある。
【０００９】
円形をした物品載置用台板の偏心位置に貫通孔をあけておけば、該台板に中心から外縁までの距離が長い部分と同距離が短い部分とができるので、前者の部分に比較的大きな物品を載せることができる。
【００１０】
本発明のうち第４のものは、パッキン押さえの下端部外周に水平環状溝が形成されているとともに、貫通孔を有するフック取付用板の孔縁部が水平環状溝に回動可能に嵌め合わせられており、前記板の外縁部に少なくとも１つの物品吊り下げ用フックが取り付けられていることを特徴とする、物品吊り下げ用フック付き給水栓である。
【００１１】
上記給水栓にあっては、パッキン押さえの周囲にフック取付用板を介して設けられた物品吊り下げ用フックに、石鹸、ブラシ等の物品を吊り下げておくことができるので、便利である。また、フック取付用板は回動可能であるので、給水栓を使用する際、すなわち、吐水して手や物を洗ったり等する際に、前記板を回動させることによって、前記フックに吊り下げられた石鹸等を邪魔にならない位置まで簡単に移動させることができる。さらに、物品吊り下げ用フックはフック取付用板を介してパッキン押さえに取り付けられているので、既存の給水栓のパッキン押さえを、上記物品吊り下げ用フック付きパッキン押さえに交換するだけで、簡単に上記物品吊り下げ用フック付き給水栓を構成することができ、一般消費者が手軽に利用できる。
【００１２】
本発明のうち第５のものは、パッキン押さえの上端に上方突出筒部が一体に設けられ、上方突出筒部の上端部外周に水平環状溝が形成されているとともに、貫通孔を有するフック取付用板の孔縁部が水平環状溝に回動可能に嵌め合わせられており、前記板の外縁部に少なくとも１つの物品吊り下げ用フックが取り付けられていることを特徴とする、物品吊り下げ用フック付き給水栓である。
【００１３】
上記給水栓にあっては、パッキン押さえの上方突出筒部の周囲にフック取付用板を介して設けられた物品吊り下げ用フックに、石鹸、ブラシ等の物品を吊り下げておくことができるので、便利である。また、フック取付用板は回動可能であるので、給水栓を使用する際、すなわち、吐水して手や物を洗ったり等する際に、前記板を回動させることによって、前記フックに吊り下げられた石鹸等を邪魔にならない位置まで簡単に移動させることができる。さらに、物品吊り下げ用フックはフック取付用板を介してパッキン押さえに取り付けられているので、既存の給水栓のパッキン押さえを、上記物品吊り下げ用フック付きパッキン押さえに交換するだけで、簡単に上記物品吊り下げ用フック付き給水栓を構成することができ、一般消費者が手軽に利用できる。
【００１４】
本発明のうち第６のものは、上記物品吊り下げ用フック付き給水栓において、フック取付用板が物品載置用台板を兼ねていることを特徴とする、物品載置用台板および物品吊り下げ用フック付き給水栓である。
【００１５】
上記給水栓にあっては、物品吊り下げ用フックに物品を吊り下げておくことができるのに加えて、物品載置用台板を兼ねているフック取付用板に物品を載せておくことができるので、給水栓の使用に支障を来すことなく、より多くの物品を給水栓のそばに配しておくことが可能となり、便利である。
【００１６】
本発明による物品載置用台板および物品吊り下げ用フック付き給水栓において、物品載置用台板を兼ねているフック取付用板が円形であって、その貫通孔が偏心位置にあけられている場合がある。
【００１７】
円形をしたフック取付用板兼物品載置用台板の偏心位置に貫通孔をあけておけば、該板に中心から外縁までの距離が長い部分と同距離が短い部分とができるので、前者の部分に比較的大きな物品を載せることができる。
【００１８】
【発明の実施の形態】
図１および２は、本発明の第１の実施形態を示すものである。この実施形態において、本発明を適用した給水栓(1)は、図１および２に示すように横水栓であって、給水栓本体(11)、コマ(12)、スピンドル(13)、ハンドル(14)、パッキン(15)、パッキン押さえ(16)および吐水口(17)を備えている。
【００１９】
そして、パッキン押さえ(16)の下端部外周に水平環状溝(161)が形成されているとともに、貫通孔(21)を有する物品載置用台板(2)の孔縁部が水平環状溝(161)に回動可能に嵌め合わせられており、こうして物品載置用台板(2)付き給水栓(1)が構成されている。
【００２０】
物品載置用台板(2)は、円形であって、その貫通孔(21)は中心位置にあけられている。台板(2)の外周縁には、短い垂下部(22)が一体に設けられている。この台板(2)は、例えば、金属板や合成樹脂板等によって形成することができる。
【００２１】
図２に示すように、パッキン押さえ(16)下端面の内周部分には、下方に短く突出する垂下部(160)が予め形成されている。そして、パッキン押さえ(16)下端面の平坦な外周部分に、物品載置用台板(2)の孔縁部上面を当接させながら、前記垂下部(160)を外方に折り曲げることによって、パッキン押さえ(16)の下端部外周に水平環状溝(161)が形成されるとともに、該溝(161)に台板(2)の孔縁部が嵌め合わせられるようになっている。
【００２２】
上記の物品載置用台板(2)付き給水栓(1)にあっては、図１に示すように、物品載置用台板(2)の上に、石鹸(A)、歯磨きチューブ(B)等の物品を載せておくことができる。吐水して手や物を洗ったりする際には、台板(2)を回動させることによって、台板(2)に載せられた石鹸(A)、歯磨きチューブ(B)等を邪魔にならない位置まで簡単に移動させておけばよい。
【００２３】
なお、物品載置用台板(2)はパッキン押さえ(16)に取り付けられているので、既存の給水栓のパッキン押さえを、図１および２に示すような上記物品載置用台板(2)付きパッキン押さえ(16)に交換するだけで、簡単に物品載置用台板(2)付き給水栓(1)が得られるので、一般消費者が手軽に利用できる。
【００２４】
図３は、本発明の第２の実施形態を示すものである。図３において、パッキン押さえ(16X)下端面の内周部分には、下方に短く突出しかつ雄ねじ部(162)を有する垂下部(160X)が形成されている。そして、パッキン押さえ(16X)下端面の平坦な外周部分に、物品載置用台板(2)の孔縁部上面を当接させながら、前記垂下部(160)の雄ねじ部(162)に、リング状ナット(18)をねじ嵌めることによって、パッキン押さえ(16X)の下端部外周に水平環状溝(161X)が形成されるとともに、該溝(161X)に台板(2)の孔縁部が嵌め合わせられるようになっている。その他は、図１および２に示す第１の実施形態と同じである。
【００２５】
図４は、本発明の第３の実施形態を示すものである。図４において、物品載置用台板(2X)は、円形であって、その貫通孔(21X)は偏心位置にあけられている。上記台板(2X)の場合、中心から外縁までの距離が長い部分(20a)と同距離が短い部分(20b)とが設けられるので、前者の部分(20a)に比較的大きな物品を載せることが可能となる。その他は、図１および２に示す第１の実施形態と同じである。
【００２６】
図５および６は、本発明の第４の実施形態を示すものである。図５および６において、パッキン押さえ(16Y)の上端には、上方突出筒部(163)が一体に設けられている。そして、上方突出筒部(163)の上端部外周に水平環状溝(164)が形成されているとともに、貫通孔(31)を有するフック取付用板(3)の孔縁部が水平環状溝(164)に回動可能に嵌め合わせられ、前記板(3)の外縁部に２つの物品吊り下げ用フック(4)が取り付けられており、こうして物品吊り下げ用フック(4)付き給水栓(1)が構成されている。
【００２７】
フック取付用板(3)は、円形であって、その貫通孔(31)は中心位置にあけられている。前記板(3)の外周縁には、短い垂下部(32)が一体に設けられている。垂下部(32)には、円周方向に約１２０度分の間隔をおいて、２つのフック取付孔(33)があけられている。このフック取付用板(3)は、例えば、金属板や合成樹脂板等によって形成することができる。
【００２８】
図６に示すように、パッキン押さえ(16Y)における上方突出筒部(163)の上端寄り部分に、環状張り出し部(165)が設けられている。また、環状張り出し部(165)に隣接して、上方突出筒部(163)の上端部に、雄ねじ部(166)が設けられている。そして、環状張り出し部(165)上面にフック取付用板(3)の孔縁部下面を当接させながら、雄ねじ部(166)にリング状ナット(19)をねじ嵌めることによって、上方突出筒部(163)の上端部外周に水平環状溝(164)が形成されるとともに、該溝(164)に前記板(3)の孔縁部が嵌め合わせられるようになっている。
【００２９】
物品吊り下げ用フック(4)は、図５および６に示すようなＳ字状のものであって、その上端部がフック取付用板(3)のフック取付孔(33)に引っ掛けられている。
【００３０】
上記の物品吊り下げ用フック(4)付き給水栓(1)にあっては、フック(4)に、網袋入り石鹸、タワシ等の物品（図示略）を吊り下げておくことができる。吐水して手や物を洗ったりする際には、フック取付用板(3)を回動させることによって、フック(4)に吊り下げられた網袋入り石鹸、タワシ等を邪魔にならない位置まで簡単に移動させておけばよい。
【００３１】
なお、物品吊り下げ用フック(4)はフック取付用板(3)を介してパッキン押さえ(16Y)に取り付けられているので、既存の給水栓のパッキン押さえを、図５および６に示すようなフック取付用板(3)および物品吊り下げ用フック(4)付きパッキン押さえ(16Y)に交換するだけで、簡単に物品吊り下げ用フック(4)付き給水栓(1)が得られるので、一般消費者が手軽に利用できる。
【００３２】
また、図５および６に示す物品吊り下げ用フック(4)付き給水栓(1)において、フック取付用板(3)が、歯磨きチューブ、コップ等の物品を載せておくための物品載置用台板を兼ねるようにしても勿論よい。
【００３３】
なお、上記の各実施形態はあくまでも例示にすぎず、特許請求の範囲に記載された本発明の要旨を逸脱しない範囲で適宜に変更の上、本発明を実施することは勿論可能である。
【図面の簡単な説明】
【図１】本発明の第１の実施形態を示すものであって、物品載置用台板付き給水栓の斜視図である。
【図２】図１の物品載置用台板付き給水栓の垂直断面図である。
【図３】本発明の第２の実施形態を示すものであって、物品載置用台板付き給水栓の一部の垂直断面図である。
【図４】本発明の第３の実施形態を示すものであって、物品載置用台板付き給水栓の斜視図である。
【図５】本発明の第４の実施形態を示すものであって、物品載置用台板付き給水栓の斜視図である。
【図６】図５の物品載置用台板付き給水栓の垂直断面図である。
【符号の説明】
(1)：給水栓
(16)(16X)(16Y)：パッキン押さえ
(161)(161X)(164)：水平環状溝
(163)：上方突出筒部
(2)(2X)：物品載置用台板
(21)(21X)：貫通孔
(3)：フック取付用板
(4)：物品吊り下げ用フック
【図１】
0004747479.tif 000002
【図２】
0004747479.tif 000003
【図３】
0004747479.tif 000004
【図４】
0004747479.tif 000005
【図５】
0004747479.tif 000006
【図６】
0004747479.tif 000007